(57)【要約】      （修正有）【課題】通気性に優れ、且つ長時間に渡って使用しても指が硬直し難く、洗濯できて衛生的である保護用手袋を提供する。【解決手段】手の甲面側と手のひら面側を通気性に富んだメッシュ地２で形成し、重ね合わせた周縁にパイピングテープ３を添わせてパイピングして緩衝帯を形成し、手のひら面に、手、指の屈曲する動きを制約する硬質プラスティック板４および親指の位置を固定する区画を配し、手首部ａには手袋内に挿入した手が抜け出るのを防止するための調整バンド７を備える。【選択図】図２
0003180633.tif 000002
【実用新案登録請求の範囲】
【請求項１】
手の甲面側と手のひら面側をメッシュ地１，２で形成し、両面のメッシュ地を重ね合わせた周縁にパイピングテープ３を添わせ、手の差し込み口を除いて全周縁を縫合して手袋を形成してあり、手のひら面側は、２枚のメッシュ地２１，２２が合わさり、その間にカツラギ生地等のしっかりしたインナーシート５を間挿して３枚重ね構造としてあり、そして手首部ａより上部の手のひらに対応する部分ｄの内側メッシュ地２１と間挿したインナーシート５との間に、上部手のひら部分に対応する大きさのポリプロピレン等の硬質プラスティック板４が装入され、手首部ａとの境が縫合され（縫合部６）て硬質プラスティック板４の位置が固定されるようになっており、そして手首部ａに手首を一周させて締め付ける調整バンド７が設けられている保護用手袋。
【請求項２】
硬質プラスティック板４の表側に重ねられているインナーシート５を、周縁ｅを残して中央部ｆを切り抜いて、手袋内の通気性をよくしてある請求項１に記載の保護用手袋。
【請求項３】
手の親指と人差し指との境の位置に該当する部分の手の甲面側と手のひら面側のメッシュ地１，２を縫い合わせて（縫合部１１）、親指位置を固定するための区画ｇを形成してある請求項１に記載の保護用手袋。
【請求項４】
調整バンド７が、端部にプッシュホック８を取り付け、他方、バンドの適宜箇所に受釦９を配置してあり、手首を一周させて締め付け、手首の大きさに応じて任意の受釦に係合し、締め付け長さを調整できるようになっている請求項１に記載の保護用手袋。
【考案の詳細な説明】
【技術分野】
【０００１】
本考案は、認知症等の方が不用意にカテーテルや点滴のチューブを自分で抜去するような動きができないように手指をカバーする保護用手袋に関わる。
【背景技術】
【０００２】
従来、認知症等の方の手を拘束するため、厚生地を重ねて縫製した指なし手袋、あるいは手のひら側に硬質の板を設け、手、指が湾曲できないようにして、認知症の方が身体に繋がれている管を抜き取ることができないようにしている。
【先行技術文献】
【特許文献】
【０００３】
【特許文献１】特開平１１−００４８４３号公報
【特許文献２】実用登録第２５８８９９４号
【考案の概要】
【考案が解決しようとする課題】
【０００４】
従来の保護用手袋には、以下のような欠点がある。
厚生地を重ねて縫製した布製手袋は汗をかいたり、水虫等の原因となっている。また、指（掌）の動きを制限する硬質の板においては、硬さと強さが足りず、洗濯機での洗濯で割れたり折れ曲がるおそれがあるため、手洗いとなり面倒なうえ、不衛生となる場合が多い。
そこで本考案は、通気性に優れ、且つ長時間に渡って使用しても指が硬直し難く、洗濯できて衛生的である保護用手袋を提供する。
【課題を解決するための手段】
【０００５】
本考案の保護用手袋は、通気性に富んだメッシュ地を使用し、周縁にパイピングテープをパイピングして緩衝帯を形成し、手のひら面に、手、指の屈曲する動きを制約する硬質プラスティック板および親指の位置を固定する区画を配し、手首部には手袋内に挿入した手が抜け出るのを防止するための寸法調整できるバンドを備えた。
【考案の効果】
【０００６】
本考案の保護用手袋は、通気性の良いメッシュ地であるので、手のひらに汗をかいたり、それによってかゆみ、水虫などのおそれがない快適なものとなっており、手袋周縁にパイピングを施したことにより外部との衝突による衝撃をやわらげることができ、したがって爪が当たっても、損傷したり痛くならないものとなっている。手のひら面には硬質プラスティック板を配し、手袋内で親指の位置が固定されるようになっているので、硬質プラスティック板に手のひらが平面的に押し付けられて手先、指の動きを制約するため、カテーテルや点滴のチューブ等をつかんで引っ張ることもできず、安全なものとなっている。
【図面の簡単な説明】
【０００７】
【図１】手袋の手の甲面を示す図。
【図２】手袋の手のひら面を示す図。
【図３】手袋の手のひら面側の分解斜視図。
【図４】プッシュホックの拡大斜視図。
【考案を実施するための形態】
【０００８】
図１に示すように、本考案は、手の甲面側と手のひら面側とにそれぞれ２枚合わせのメッシュ地１，２を使用し、それらを合わせ、その周縁にパイピングテープ３を添わせて縫合して手袋を形成している。当然なこととして手首部ａの下端部ｂ、そしてできれば下端部の両サイドｃは、手の甲面側と手のひら面側の布地同士を縫合しないで残してあり、下端部ｂを、手の差し込み口としてある。
パイピングテープ３を周縁に施したことにより、外部と強く接触した場合でも、手袋内部に伝わる衝撃をやわらげることができ、手先、爪が当たっても、損傷することがなくそして痛み減じられるようになっている。
【０００９】
図２に示す手のひら面側は、図３に分解して示すように、メッシュ地２は、２枚合わせのメッシュ地２１，２２の間に、さらにカツラギ生地等のしっかりしたインナーシート５を間挿して３枚重ね構造としてあり、そして手首部ａより上部の手のひらに対応する部分ｄの内側メッシュ地２１と間挿したインナーシート５との間に、ポリプロピレン等の硬質プラスティック板４を装入してある。
【００１０】
この硬質プラスティック板４を間挿した内側メッシュ地２１、インナーシート５および外側メッシュ地２２は、重ね合わせた周囲が前記したように縫合され、さらに手のひら部分ｄと手首部分ａとの境も同時に縫合されて（縫合部６）、硬質プラスティック板４の位置を固定している。なお、硬質プラスティック板４の表側に重ねられているインナーシート５を、周縁ｅを残して中央部ｆを切り抜いておくと手袋内の通気性がよくなるので有利である。また、インナーシート５は、手のひら部分と手首部分とを別体にして縫製してもよい。
【００１１】
また手首部ａには調整バンド７が設けられており、調整バンド７の端部にプッシュホック８を取り付け、他方、バンドの適宜箇所には受釦９を配置してあり、手袋内に手を入れた後に、調整バンド７で手首を一周させて締め付け、手首の大きさに応じて任意の位置の受釦に係合し、締め付け長さを調整できるようにしてある。手首が細い人の場合には、調整バンドをひねって締め付けることで、さらに細い手首に対応できるようになる。
【００１２】
プッシュホック８は、受釦９に上から重ねて押し付けることにより係合でき、解除するときは、プッシュホック８の上面の中央にやや凹んで設けられたプッシュ部１０を押し下げることで外れるようになっている。なお、このプッシュホック８は、縦横あらゆる方向に引っ張っても解除できないようになっている。
【００１３】
さらに本考案は図１に示すように、手袋内で手が自由に動かせないように、手の親指と人差し指との境の位置に該当する部分の手の甲面側と手のひら面側のメッシュ地１，２を縫い合わせ（縫合部１１）、親指の動きを規制するための区画ｇとしてある。
【００１４】
本考案は以上のように構成されているので、手袋内に手を挿入し調整バンド７で手首部ａを締め付けると、手は、硬質プラスティック板４に平面的に押し付けられて制約され、親指も区画ｇで規制されるので、手先、指を曲げることができず、カテーテルや点滴のチューブを握ることも、つかんで引っ張ることもできない。
調整バンド７のプッシュホック８のプッシュ部１０は、係合を解除するためのプッシュ部１０が、前記したように上面の中央にやや凹んで設けられていて爪の先のように細い部分でしかプッシュできないようになっているので、硬質プラスティック板４に平面的に押し付けられ制約されている手、指では、プッシュホック８のプッシュ部１０を押し下げることが不可能である。したがって、調整バンドの係合を解除できず、手袋を外すことがなく安全である。
【００１５】
本考案手袋内には、親指用の区画ｇを設けてあり、左右手袋で区画ｇの位置が対象で異なることになる。どちらか一方の手袋にしるしを付けておき、左右が区別できるようにしておくと着用時にすぐに区別でき便利である。本考案では、図1に示すように、左用の手袋の手首部にカラーの識別テープ１２を貼付して明確に区別できるようにしてある。
【符号の説明】
【００１６】
１      メッシュ地
２      メッシュ地
２１    内側メッシュ地
２２    外側メッシュ地
３      パイピングテープ
４      硬質プラスティック板
５      インナーシート
６      縫合部
７      調整バンド
８      プッシュホック
９      受釦
１０    プッシュ部
１１    縫合部
１２    識別テープ
ａ      手首部
ｂ      下端部
ｃ      サイド
ｄ      手のひら部分
ｅ      周縁
ｆ      中央部
ｇ      区画
【図１】
0003180633.tif 000003
【図２】
0003180633.tif 000004
【図３】
0003180633.tif 000005
【図４】
0003180633.tif 000006